(57)【要約】  ワイヤレスドッキングシステムは、ホスト１００と少なくとも１つのドッキング対象１２０，１３０，１４０とを有する。ホストは、少なくとも１つの周辺機器１１０，１１１，１１２を含む少なくとも１つのワイヤレスドッキング環境に適応する。ホストは、ワイヤレス通信を提供するためのホスト通信ユニット１０２を有し、ホストプロセッサ１０１は、ドッキング対象をワイヤレスドッキング環境にドッキングするように構成される。ドッキング対象は、ワイヤレス通信を提供するためのドッキング対象通信ユニット１２１と、ワイヤレスドッキング環境にドッキングするように構成されたドッキング対象プロセッサ１２２とを有する。ドッキング対象は、少なくとも１つのドッキング対象周辺機器１２３を有する。ドッキング対象プロセッサは、ドッキング対象周辺機器を通知し、ホストから結合要求を受信すると、ホストによりドッキング対象周辺機器の制御及び接続データを供給するためにホストに結合する。ホストプロセッサは、ドッキング対象周辺機器をワイヤレスドッキング環境における更なる周辺機器としての使用のために利用可能にするためにドッキング対象周辺機器を含む周辺機器のセットを通知する。
2017505948.tif 000002
【特許請求の範囲】
【請求項１】
ホストと少なくとも１つのドッキング対象とを有するワイヤレスドッキングシステムであって、
前記ホスト及び前記ドッキング対象は、ワイヤレス通信を介してドッキングするように構成され、
前記ホストは、少なくとも１つのワイヤレスドッキング環境に適応し、周辺機器のセットを前記ワイヤレスドッキング環境における使用のために利用可能にするために前記周辺機器のセットを通知するように構成され、
前記のドッキングは、前記ドッキング対象が前記周辺機器のセットを用いるのを可能にし、
前記ホストは、前記ワイヤレス通信を提供するためのホスト通信ユニットと、前記ドッキング対象を前記ワイヤレスドッキング環境にドッキングするように構成されたホストプロセッサとを有し、
前記ドッキング対象は、前記ワイヤレス通信を提供するためのドッキング対象通信ユニットと、前記ワイヤレスドッキング環境にドッキングするように構成されたドッキング対象プロセッサとを有し、
前記ドッキング対象は、少なくとも１つのドッキング対象周辺機器を有し、
前記ドッキング対象プロセッサは、前記ドッキング対象周辺機器を通知し、前記ホストから結合要求を受信すると、前記ホストにより前記ドッキング対象周辺機器の制御及び接続データを供給するために前記ホストに結合するように構成され、
前記ホストプロセッサは、前記ホストにより前記ドッキング対象周辺機器の制御及び接続データを取得するために前記結合要求を前記ドッキング対象に送信し、前記ドッキング対象周辺機器を前記ワイヤレスドッキング環境において更なる周辺機器として利用可能にするために前記ドッキング対象周辺機器を含む前記周辺機器のセットを通知するように構成される、ワイヤレスドッキングシステム。
【請求項２】
前記ホストプロセッサは、前記結合要求を介して前記ドッキング対象周辺機器に対するセッションをセットアップするように構成され、
前記ドッキング対象プロセッサは、前記セッションを介して前記ドッキング対象周辺機器の制御を提供するように構成される、請求項１に記載のワイヤレスドッキングシステム。
【請求項３】
前記ドッキング対象プロセッサは、前記ドッキング対象周辺ユニットが更なる周辺機器として結合するために利用可能であることを示す周辺機器性能信号を前記ホストに送信することにより、前記ドッキング対象周辺機器を通知するように構成され、
前記ホストプロセッサは、前記ドッキング対象から前記周辺機器性能信号を受信することにより、前記ドッキング対象周辺機器の発見のために構成される、請求項１又は請求項２に記載のワイヤレスドッキングシステム。
【請求項４】
当該システムは、前記ワイヤレスドッキング環境にドッキングすると、前記ドッキング対象周辺機器を用いるように構成された更なるドッキング対象プロセッサを有し、
前記ホストプロセッサは、前記更なるドッキング対象を前記ワイヤレスドッキング環境にドッキングすると、前記ドッキング対象周辺機器が前記ワイヤレスドッキング環境において用いられるべきことを示す使用要求を前記ドッキング対象に送信し、前記ドッキング対象周辺機器を用いるために前記ドッキング対象周辺機器と前記更なるドッキング対象との間の信号の転送に適応するように構成され、
前記ドッキング対象プロセッサは、前記ホストから前記使用要求を受信すると、前記ドッキング対象周辺機器の使用モードに関与し、前記ドッキング対象周辺機器と前記更なるドッキング対象との間で信号を転送するように構成される、請求項１−３のうちいずれか一項に記載のワイヤレスドッキングシステム。
【請求項５】
請求項１に記載のシステムで使用するドッキング対象であって、
前記ドッキング対象は、ワイヤレス通信を介してドッキングするように構成され、
前記ドッキング対象は、前記ワイヤレス通信を提供するためのドッキング対象通信ユニットと、前記ワイヤレスドッキング環境にドッキングするように構成されたドッキング対象プロセッサとを有し、
前記ドッキング対象は、少なくとも１つのドッキング対象周辺機器を有し、
前記ドッキング対象プロセッサは、前記ドッキング対象周辺機器を通知し、前記ホストから結合要求を受信すると、前記ホストにより前記ドッキング対象周辺機器の制御及び接続データを供給するために前記ホストに結合するように構成される、ドッキング対象。
【請求項６】
前記ドッキング対象プロセッサは、同期化コマンドにより示された時間に前記ドッキング対象周辺機器の機能を活性化するために前記同期化コマンドを受信し、及び／又は、前記同期化コマンドにより示された時間に前記ワイヤレスドッキング環境における少なくとも１つの周辺機器の機能を活性化するために同期化コマンドを生成するように構成される、請求項５に記載のドッキング対象。
【請求項７】
前記ドッキング対象プロセッサは、結合要求及び／又は使用要求を受信すると、前記ドッキング対象のユーザが前記ドッキング対象周辺機器を前記ワイヤレスドッキング環境における更なる周辺機器としてアクセス可能にすることに同意するかどうかを決定するように構成される、請求項５に記載のドッキング対象。
【請求項８】
前記ドッキング対象プロセッサは、前記ドッキング対象周辺機器の使用モードが関与するとき、前記ドッキング対象のユーザが前記ドッキング対象周辺機器を用いることを要求したかどうかを決定し、その後、前記ワイヤレスドッキング環境における更なる周辺機器としての前記ドッキング対象周辺機器の使用を制限又は終了するように構成される、請求項５に記載のドッキング対象。
【請求項９】
前記少なくとも１つのドッキング対象周辺機器は、マイクロホン、ラウドスピーカ、カメラ、ディスプレイ、タッチスクリーン、マウス、キーボード、通信ユニット、光センサ、温度センサ、配向センサ、位置センサのうち少なくとも１つを有する、請求項４に記載のドッキング対象。
【請求項１０】
請求項１に記載のワイヤレスドッキングシステムで使用するホストであって、
前記ホストは、ワイヤレス通信を介してドッキングし、少なくとも１つのワイヤレスドッキング環境に適応し、周辺機器のセットを前記ワイヤレスドッキング環境における使用のために利用可能にするために前記周辺機器のセットを通知するように構成され、
前記ホストは、前記ワイヤレス通信を提供するためのホスト通信ユニットと、前記ドッキング対象を前記ワイヤレスドッキング環境にドッキングするように構成されたホストプロセッサとを有し、
前記ホストプロセッサは、前記ホストにより前記ドッキング対象周辺機器の制御及び接続データを取得するために前記ドッキング対象に結合要求を送信し、前記ドッキング対象周辺機器を前記ワイヤレスドッキング環境における更なる周辺機器としての使用のために利用可能にするために前記ドッキング対象周辺機器を含む前記周辺機器のセットを通知するように構成される、ホスト。
【請求項１１】
前記ホストプロセッサは、設定モードに適応するように構成され、前記設定モードにおいて、前記ワイヤレスドッキング環境は、前記ドッキング対象周辺機器を前記ワイヤレスドッキング環境における更なる周辺機器としての使用のために利用可能にするように設定可能である、請求項１０に記載のホスト。
【請求項１２】
前記ホストプロセッサは、ドッキングされているドッキング対象の検出、前記ホストのユーザインタフェースを介したユーザ入力、前記ホストにより受信された前記ドッキング対象からの設定メッセージのうち少なくとも１つにより前記設定モードに関与するように構成される、請求項１１に記載のホスト。
【請求項１３】
ホストと少なくとも１つのドッキング対象とを有するワイヤレスドッキングシステムにおける使用のための前記ホストにおけるワイヤレスドッキングの方法であって、
前記ホスト及び前記ドッキング対象は、ワイヤレス通信を介してドッキングするように構成され、
前記ホストは、少なくとも１つのワイヤレスドッキング環境に適応し、周辺機器のセットを前記ワイヤレスドッキング環境における使用のために利用可能にするために前記周辺機器のセットを通知するように構成され、
前記のドッキングは、前記ドッキング対象が前記周辺機器のセットを用いるのを可能にし、
前記ドッキング対象は、少なくとも１つのドッキング対象周辺機器を有し、
当該方法は、
前記ドッキング対象を前記ワイヤレスドッキング環境にドッキングするステップと、
前記ホストにより前記ドッキング対象周辺機器の制御及び接続データを取得するために結合要求を前記ドッキング対象に送信するステップと、
前記ドッキング対象周辺機器を前記ワイヤレスドッキング環境における更なる周辺機器として利用可能にするために前記ドッキング対象周辺機器を含む前記周辺機器のセットを通知するステップとを有する、方法。
【請求項１４】
ホストと少なくとも１つのドッキング対象とを有するワイヤレスドッキングシステムにおける使用のための前記ドッキング対象におけるワイヤレスドッキングの方法であって、
前記ホスト及び前記ドッキング対象は、ワイヤレス通信を介してドッキングするように構成され、
前記ホストは、少なくとも１つのワイヤレスドッキング環境に適応し、周辺機器のセットを前記ワイヤレスドッキング環境における使用のために利用可能にするために前記周辺機器のセットを通知するように構成され、
前記のドッキングは、前記ドッキング対象が前記周辺機器のセットを用いるのを可能にし、
前記ドッキング対象は、少なくとも１つのドッキング対象周辺機器を有し、
当該方法は、
前記ワイヤレスドッキング環境にドッキングするステップと、
前記ドッキング対象周辺機器を通知し、前記ホストから結合要求を受信すると、前記ホストにより前記ドッキング対象周辺機器の制御及び接続データを供給するために前記ホストに結合するステップとを有する、方法。
【請求項１５】
プロセッサに請求項１３又は請求項１４に記載の方法を実行させるように動作するプログラムを有する、ホストとドッキング対象との間のワイヤレスドッキングのためのコンピュータプログラム製品。
【発明の詳細な説明】
【技術分野】
【０００１】
本発明は、ホストと少なくとも１つのドッキング対象とを有するワイヤレスドッキングシステムに関し、ホスト及びドッキング対象は、ワイヤレス通信を介してドッキングするように構成され、ホストは、少なくとも１つのワイヤレスドッキング環境に適応し、ワイヤレスドッキング環境における使用のために周辺機器のセットを利用可能にするために前記周辺機器のセットを通知するように構成され、ドッキングは、ドッキング対象が周辺機器のセットを用いるのを可能にし、ホストは、ワイヤレス通信を提供するためのホスト通信ユニットと、ドッキング対象をワイヤレスドッキング環境にドッキングするように構成されたホストプロセッサとを有し、ドッキング対象は、ワイヤレス通信を提供するためのドッキング対象通信ユニットと、ワイヤレスドッキング環境にドッキングするように構成されたドッキング対象プロセッサとを有する。
【０００２】
本発明は、上記のシステムで使用するホスト及びドッキング対象、並びに、ワイヤレスドッキングの方法及びコンピュータプログラム製品に関する。
【０００３】
本発明は、例えばＷｉ−Ｆｉを介した、ワイヤレス通信の分野に関するものであり、より詳細には、ホスト及び複数のドッキング対象を有するワイヤレスドッキングシステムにおいて利用可能な周辺機器のセットアップに関するものである。例えば、ホストは、パーソナルコンピュータであってもよく、ドッキング対象は、モバイルフォン、ラップトップコンピュータ、タブレットコンピュータ等であってもよい。
【背景技術】
【０００４】
ワイヤレスドッキングは、例えば、国際公開第２０１２／１１７３０６号から知られている。ワイヤレスドッキングステーションは、少なくとも１つのスレーブデバイスとマスターデバイスとの間のワイヤレスの安全な通信を可能にする。
【０００５】
ポータブル電子デバイスのための有線のドッキングステーションは、典型的には、一度に１つのデバイスをドッキングするための単一の物理的なドッキングコネクタしか有さない。ドッキングステーションは、ポータブルデバイスに対して、デバイス自体によっては供給されない周辺機能（例えば、大きなスクリーン、高い質のスピーカ、マウス及びキーボード）及び出力を供給し得る。ワイヤレスドッキングステーションは、１又はそれ以上のワイヤレスドッキング環境に適応するワイヤレスドッキングホスト（ＷＤＨ；wireless docking host）であってもよく、各ワイヤレスドッキング環境は、周辺機器のそれぞれのセットを利用可能にする。
【０００６】
ホスト及びドッキング対象を有するシステムにおけるワイヤレスドッキングは、（ＩＥＥＥ８０２．１１において述べられる）Ｗｉ−Ｆｉに基づくワイヤレスドッキングステーションを用いることに基づき得る。周辺機器は、有線又は無線を介してホストに局所的に結合され、ＵＳＢマウス、ＨＤＭＩディスプレイ、Ｂｌｕｅｔｏｏｔｈヘッドセットのようなデバイスを含む。（それ自体知られている）結合は、ワイヤレスリンク（例えばＷｉ−Ｆｉ）を介してメッセージ交換プロトコルのセットを介して実現される。
【０００７】
選択されたワイヤレスドッキング環境へのドッキングは、（ドッキング対象と呼ばれる）モバイルデバイスが、ワイヤレスドッキング環境において利用可能となる周辺機器のセットにアクセスするのを可能にする。ワイヤレスドッキングホストは、ドッキング対象が選ばれたＷＤＨとの接続を選択及び開始するために用いることができるＷｉ−Ｆｉビーコンを介して、その存在に関する情報を供給し得る。代わりに、ＷＤＨ又は（ワイヤレス出力システムからの通信インタフェースを用いるような）他の帯域外手段に関連付けられる近距離無線通信（ＮＦＣ；Near Field Communication）タグが、ＷＤＨを選択し、ＷＤＨとのドッキングを開始するために用いられる。
【発明の概要】
【発明が解決しようとする課題】
【０００８】
ワイヤレスドッキングシステムは、ホストに結合される１又はそれ以上の周辺機器へのアクセスを提供するために少なくとも１つのワイヤレスドッキング環境に適応する。種々のアプリケーションは、種々の周辺機器を必要としてもよい。しかしながら、斯様な周辺機器は利用可能ではないかもしれない。
【０００９】
本発明の目的は、ワイヤレスドッキング環境において追加の周辺機器を利用可能にすることを可能にするワイヤレスドッキングのためのシステムを提供することにある。
【課題を解決するための手段】
【００１０】
この目的のために、本発明の第１の態様によれば、冒頭において述べられたワイヤレスドッキングシステムにおいて、ドッキング対象は、少なくとも１つのドッキング対象周辺機器を有し、ドッキング対象プロセッサは、ドッキング対象周辺機器を通知し、ホストから結合要求を受信すると、ホストによりドッキング対象周辺機器の制御及び接続データを供給するためにホストに結合するように構成され、ホストプロセッサは、ホストによりドッキング対象周辺機器の制御及び接続データを取得するために結合要求をドッキング対象に送信し、ドッキング対象周辺機器をワイヤレスドッキング環境において更なる周辺機器として利用可能にするためにドッキング対象周辺機器を含む周辺機器のセットを通知するように構成される。
【００１１】
この目的のために、本発明の他の態様によれば、上記のワイヤレスドッキングシステムにおいて用いられるドッキング対象は、ワイヤレス通信を介してワイヤレスドッキングを行うように構成され、ドッキング対象は、ワイヤレス通信を提供するためのドッキング対象通信ユニットを有し、ドッキング対象プロセッサは、ワイヤレスドッキング環境にドッキングするように構成され、ドッキング対象は、少なくとも１つのドッキング対象周辺機器を有し、ドッキング対象プロセッサは、ドッキング対象周辺機器を通知し、ホストから結合要求を受信すると、ホストによりドッキング対象周辺機器の制御及び接続データを供給するためにホストに結合するように構成される。
【００１２】
この目的のために、本発明の他の態様によれば、上記のワイヤレスドッキングシステムにおいて用いられるホストは、ワイヤレス通信を介してドッキングし、少なくとも１つのワイヤレスドッキング環境に適応し、周辺機器をワイヤレスドッキング環境用における使用のために利用可能にするために周辺機器のセットを通知するように構成され、ホストは、前記ワイヤレス通信を提供するためのホスト通信ユニットを有し、ホストプロセッサは、ドッキング対象をワイヤレスドッキング環境にドッキングするように構成され、ホストプロセッサは、ホストによりドッキング対象周辺機器の制御及び接続データを取得するために結合要求をドッキング対象に送信し、ドッキング対象周辺機器をワイヤレスドッキング環境における更なる周辺機器として利用可能にするためにドッキング対象周辺機器を含む周辺機器のセットを通知するように構成される。
【００１３】
この目的のために、本発明の他の態様によれば、ホストにおけるワイヤレスドッキングの方法が、上記のワイヤレスドッキングシステムにおける使用のために提供され、ホスト及びドッキング対象は、ワイヤレス通信を介してドッキングするように構成され、ホストは、少なくとも１つのワイヤレスドッキング環境に適応し、周辺機器のセットをワイヤレスドッキング環境における使用のために利用可能にするために周辺機器のセットを通知するように構成され、ドッキングは、ドッキング対象が周辺機器のセットを用いるのを可能にし、ドッキング対象は、少なくとも１つのドッキング対象周辺機器を有し、当該方法は、ドッキング対象をワイヤレスドッキング環境にドッキングするステップと、ホストによりドッキング対象周辺機器の制御及び接続データを取得するために結合要求をドッキング対象に送信するステップと、ドッキング対象周辺機器をワイヤレスドッキング環境における更なる周辺機器として利用可能にするためにドッキング対象周辺機器を含む周辺機器のセットを通知するステップとを有する。
【００１４】
この目的のために、本発明の他の態様によれば、ドッキング対象におけるワイヤレスドッキングの方法が、上記のワイヤレスドッキングシステムにおける使用のために提供され、ホスト及びドッキング対象は、ワイヤレス通信を介してドッキングするように構成され、ホストは、少なくとも１つのワイヤレスドッキング環境に適応し、周辺機器のセットをワイヤレスドッキング環境における使用のために利用可能にするために周辺機器のセットを通知するように構成され、ドッキングは、ドッキング対象が周辺機器のセットを用いるのを可能にし、ドッキング対象は、少なくとも１つのドッキング対象周辺機器を有し、当該方法は、ワイヤレスドッキング環境にドッキングするステップと、ドッキング対象周辺機器を通知し、ホストから結合要求を受信すると、ホストによりドッキング対象周辺機器の制御及び接続データを供給するためにホストに結合するステップとを有する。
【００１５】
この目的のために、本発明の他の態様によれば、冒頭において述べられたようなコンピュータプログラム製品は、プロセッサに前述した方法のうちいずれか１つを実行させるように動作するプログラムを有する。
【００１６】
これらの手段は、ドッキング対象周辺機器がホストにより適応されるワイヤレスドッキング環境における周辺機器としての使用のために利用可能になるという効果を有する。ワイヤレスドッキング環境への適応は、要求された通信、簿記及び更なるプロトコル処理を開始すること、並びに、ドッキング対象に提供されるドッキング機能の設定管理を有する。ドッキング対象周辺機器を使用のために利用可能にするために、ドッキング対象周辺機器の制御及び接続データがホストにより取得され、接続データは、その後、ワイヤレスドッキング環境において適用される。それに、ドッキング対象プロセッサは、ドッキング対象周辺機器を通知し、ホストから結合要求を受信すると、ホストによりドッキング対象周辺機器の制御及び接続データを提供するためにホストに結合するように構成される。接続データは、ドッキング対象に接続するとともにドッキング対象周辺機器を用いることにおいて用いられるべき情報を有する。ホストによるドッキング対象周辺機器の制御は、ホストが、ドッキング対象周辺機器を周辺機器としての使用のために利用可能にするのを可能にする。接続データは、ドッキング対象周辺機器を用いるためにホスト又は更なるドッキング対象によるドッキング対象への接続を行うことを可能にする。ドッキング対象周辺機器は、ワイヤレスドッキング環境の周辺機器のセットにおけるドッキング対象周辺機器を含むことによりワイヤレスドッキング環境における更なる周辺機器としての使用のために利用可能となる。従って、前記セットは、ドッキング対象周辺機器を含むセットを通知することにより更なるドッキング対象までのワイヤレスドッキング環境の周辺機器のセットとして拡張及び提示される。その後、更なるドッキング対象は、ワイヤレスドッキング環境に実際にドッキングしてもよく、ホストに接続される従来の周辺機器であった場合のようにドッキング対象周辺機器を用いてもよい。更なるドッキング対象は、前記のドッキングのための標準のドッキングソフトウェア及びプロトコルを用いてもよい。前記ドッキング対象周辺機器は、標準の周辺機器としてワイヤレスドッキング環境において利用可能となるためである。有利には、１又はそれ以上の追加の周辺機器（即ち、前記ドッキング対象周辺機器）は、ホストに結合される１又はそれ以上のドッキング対象周辺機器へのアクセスを提供するためにワイヤレスドッキング環境において利用可能となる。
【００１７】
本発明は、以下の認識にも基づいている。昔から、ドッキングは、ドッキング対象がホストに既に結合されている周辺機器のみを用いるものと考えられている。ドッキング対象周辺機器は、通常他のデバイスによりアクセス可能ではないモバイルフォン又はタブレットのようなポータブルデバイスからの内蔵周辺機器又は周辺機能（スピーカ、マイクロホン、センサ、ディスプレイ、ＧＰＳ、カメラ）である。この文書において、"ドッキング対象周辺機器"という用語は、例えばワイヤレス接続を介して、ドッキング対象に取り付けられた外部周辺機器とは対照的に、ドッキング対象内部のユニットを規定する。内部ユニットは、周辺的特性を有する、即ち、物理的な外界と直接インタラクトする。斯様な内部ユニットをワイヤレス環境における更なるドッキング対象による周辺機器としての使用のために利用可能にすることは、更なるドッキング対象によるデバイスレベルの使用を意味する。ドッキング対象周辺機器を使用のために利用可能にすることは、斯様な周辺機器が、データを表示すること、音を出すこと、又は、ユーザからの入力を得ることのようなものを提供する機能の直接的使用を可能にすることを意味する。
【００１８】
米国特許出願公開第２０１３／０１０３８７３号明細書は、音楽再生のためのシステムについて述べている。ミュージックシステムは、ポータブル再生デバイスをネットワーク上のワイヤレスドックに接続することを可能にし、その後、ネットワーク上の更なるデバイスにより、ドッキングされたポータブル上の選択された音楽の閲覧、選択及び再生を可能にする。ミュージックシステムは、ドッキングされたポータブル上に存在する音楽を、ネットワーク上の更なるデバイスによる再生のためにアクセス可能にする。音楽は、ファイルレベル又はアプリケーションレベルでアクセス可能とされる。しかしながら、システムは、ネットワーク上の更なるデバイスが、ドッキングされたポータブルの周辺機器を周辺デバイスとして用いるのを可能にしない。格納デバイスレベルは、ドッキングされたポータブルにより排他的に訓練及び制御される。どの格納デバイスに音楽が格納されるかは、ネットワークに対して開示されない。コンテンツだけがネットワークに出力されるためである。
【００１９】
発明者らは、新たな機能を利用可能にするために、及び／又は、１又はそれ以上のポータブルデバイスからの入力により既存の機能を拡張するために、ドッキング対象周辺機器（ワイヤレスローカルネットワークにおける１又はそれ以上のモバイルデバイスからの個々の周辺ユニット又は機能）を更なるドッキング対象に対してデバイスレベルで利用可能にするドッキング方法を提案する。デバイスレベルで周辺機器を用いることは、通常、デバイス駆動レベル制御インタフェースを介して実行される。
【００２０】
ドッキングシステムの外側において、モバイルデバイスは、モバイルデバイス上でローカルに実行するアプリケーションに対して利用可能である入出力ユニット及びセンサを有してもよい。斯様なアプリケーションは、周辺データを交換するために、他のコンピュータ（例えば、更なるモバイルデバイス）上の他のアプリケーションと協働及び通信してもよい。しかしながら、斯様な方式は、全ての協働しているデバイス上の専用のアプリケーションを常に必要とする。発明者らは、ドッキングシステムを使用及び拡張して、斯様なモバイル入出力ユニットが、斯様なデバイスに組み込まれるか又はこれらに結合されるドッキング対象周辺機器であるとみなされ得るということを知った。彼らは、ドッキング対象周辺機器をホストに結合することにより、斯様なドッキング対象周辺機器を、ワイヤレスドッキングシステムにおける他のドッキング対象のためにデバイスレベルで直接的にアクセス可能及び使用可能にするよう努力した。ホストは、ドッキング対象周辺機器をそれぞれのワイヤレスドッキング環境において後に利用可能にする。
【００２１】
オプションとして、ドッキング対象において、ドッキング対象プロセッサは、以下のように構成される。
−  同期コマンドにより示される時間においてドッキング対象周辺機器の機能を活性化するための同期コマンドを受信する。
及び／又は
−  同期コマンドにより示される時間においてワイヤレスドッキング環境における少なくとも１つの周辺機器の機能を活性化するための同期コマンドを生成する。
【００２２】
有利には、種々のドッキング対象周辺機器は、同期コマンドを介して同期される。
【００２３】
オプションとして、ドッキング対象において、ドッキング対象プロセッサは、結合要求及び／又は使用要求を受信すると、ドッキング対象のユーザがドッキング対象周辺機器をワイヤレスドッキング環境における更なる周辺機器としてアクセス可能にすることに同意するかどうかを決定するように構成される。有利には、ドッキング対象のユーザは、ドッキング対象周辺機器を利用可能にすべきかどうかを決めることを可能にされる。
【００２４】
オプションとして、ドッキング対象において、ドッキング対象プロセッサは、ドッキング対象周辺機器の使用モードが関与するとき、ドッキング対象のユーザがドッキング対象周辺機器を用いることを要求するかどうかを決定し、その後、ワイヤレスドッキング環境における更なる周辺機器としてのドッキング対象周辺機器の使用を制限又は終了するように構成される。
【００２５】
有利には、ドッキング対象のユーザは、ドッキング対象周辺機器を介した制御を取り戻すのを可能にされる。
【００２６】
オプションとして、ドッキング対象において、ドッキング対象プロセッサは、結合要求及び／又は使用要求を受信すると、ドッキング対象周辺機器をワイヤレスドッキング環境におけるＵＳＢ周辺機器として利用可能にするように構成される。有利には、ドッキング対象周辺機器は、通常のＵＳＢ周辺機器として更なるドッキング対象により把握されるだろう。
【００２７】
オプションとして、ホストデバイスにおいて、ホストプロセッサは、ワイヤレスドッキング環境がドッキング対象周辺機器をワイヤレスドッキング環境における更なる周辺機器として利用可能にするように設定可能である設定モードに適応するように構成される。
【００２８】
有利には、設定モードにおいて、ホストは、ドッキング対象周辺機器の利用可能性を検出し、ワイヤレスドッキング環境の設定を確立する。
【００２９】
ホストプロセッサは、以下のうち少なくとも１つにより設定モードに関与するように構成されてもよい。
−  ドッキングされるドッキング対象の検出
−  ホストのユーザインタフェースを介したユーザ入力
−  ホストにより受信されるドッキング対象からの設定メッセージ
【００３０】
本発明によるデバイス及び方法の更なる好ましい実施形態は、添付の特許請求の範囲において与えられ、その開示は参照によりここに取り込まれる。
【００３１】
本発明のこれらの及び他の態様は、以下の説明において例により述べられる実施形態を参照して、及び、添付の図面を参照して、明らかになり、更に説明されるだろう。
【図面の簡単な説明】
【００３２】
【図１】ワイヤレスドッキングシステムを示す。
【図２】ワイヤレスドッキングホスト及びドッキング対象を有するドッキングシステムの一例を示す。
【図３】組み合わせられた写真機能を実行するワイヤレスドッキングシステムの一例を示す。
【図４】ホストにおけるワイヤレスドッキングの方法を示す。
【発明を実施するための形態】
【００３３】
図は単に図表であり、実寸では描かれていない。図において、既に述べられた要素に対応する要素は、同じ参照符号を有し得る。
【００３４】
ワイヤレスドッキングは、（ドッキング対象、ワイヤレスドッキング対象又はＷＤと呼ばれる）ポータブルデバイスが周辺機器のグループに無線接続するのを可能にすることであり、従って、ポータブルデバイス上のアプリケーションは、これらのアプリケーションとの動作／インタラクトの体験及び生産性を向上させるためにこれらの周辺機器を使用することができる。周辺機器のグループ化、周辺機器のグループの発見／通知、周辺機器のグループへの接続の管理は、その機能をワイヤレスドッキングプロトコルを介して利用可能にする、いわゆるワイヤレスドッキングホスト（ＷＤＨ；wireless docking host）により実行される。
【００３５】
考えられるワイヤレスドッキング対象は、これらに限定されるものではないが、ドッキング対象電話、ラップトップ、タブレット、ポータブルメディアプレーヤ、カメラ、電子時計を含む。考えられるＷＤＨは、これらに限定されるものではないが、専用のワイヤレスドッキングステーションデバイス、ディスプレイデバイス、オーディオデバイス、プリンタ、ＰＣを含む。また、ワイヤレスドッキングホストは、ディスプレイ、ＵＳＢ及びオーディオインタフェースを有する小さな（ＰＣのような）ドングルであってもよい。考えられる周辺機器は、これらに限定されるものではないが、ワイヤレスマウス、キーボード、ディスプレイデバイス、オーディオデバイス、ウェブカメラ、プリンタ、ストレージデバイス、ＵＳＢハブを含む。これらの周辺機器は、有線又は無線によりＷＤＨに接続される。ＷＤＨは、これらの機能を、ドッキング対象のような他のデバイスに対してワイヤレスネットワークを介して利用可能にするために、Ｗｉ−Ｆｉ  Ｍｉｒａｃａｓｔ及びＷｉ−Ｆｉを介したＵＳＢトンネリングのような技術を用いることができる。有線の周辺機器は、ワイヤレスホストに接続されてもよい。
【００３６】
ワイヤレスドッキングシステムは、少なくとも２つのポータブルデバイス（ワイヤレスドッキング対象）及びワイヤレスドッキングホストを有してもよい。動作中、ワイヤレスドッキングホストは、周辺機器に取り付けられ、ワイヤレスドッキング環境においてドッキングするための周辺機器のセットを提供するように構成される。第１のワイヤレスドッキング対象は、ドッキングするためのワイヤレスドッキングホストに無線接続される。ワイヤレスドッキング対象は、ワイヤレスドッキング環境のための追加の周辺機器としてのワイヤレスドッキングホストに対するドッキング対象周辺機器として機能／性能／サブシステムのうち１又はそれ以上を利用可能にするように構成される。ワイヤレスドッキングホストは、第１のワイヤレスドッキング対象の１又はそれ以上のドッキング対象周辺機器を含むドッキングするための周辺機器を通知するだろう。更なるワイヤレスドッキング対象は、第１のワイヤレスドッキング対象のドッキング対象周辺機器の１又はそれ以上を有するワイヤレスドッキング環境にドッキングするためにワイヤレスドッキングホストに接続してもよい。それ故、更なるドッキング対象は、以下に更に説明されるように、共通のワイヤレスメッセージ発信及びストリーミングプロトコル（要するに、ドッキング処理と呼ばれる）を介してこれらのＩ／Ｏ周辺機器を介した制御を取得する。
【００３７】
オペレーティングシステムは典型的にはプラグ＆プレイデバイス管理機能を可能にするので、周辺機器は、典型的には、自動的に列挙され、正しいドライバに関連付けられ、その後、これらの機能は、そのＯＳ上で実行する全てのアプリケーションに対して容易に及び透過的に利用可能になる。とりわけ、ドッキング対象周辺機器は、ＵＳＢデバイスとして列挙されてもよい。１又はそれ以上のＷＤの機能／性能／サブシステムは、Ｗｉ−Ｆｉ  Ｓｅｒｉａｌ  Ｂｕｓ又はＭｅｄｉａ  Ａｇｎｏｓｔｉｃ  ＵＳＢのようなＷｉ−Ｆｉを介したＵＳＢトンネリングプロトコル、又はＵＳＢ／ＩＰソフトウェアを用いることにより、Ｗｉ−Ｆｉ（又は他のネットワーク）を介して提供され得る。プロトコルを促進するものとしてＵＳＢを用いることは、これらの周辺機器の各々に関して各ＷＤが利用するマスター／スレーブの役割を直ちに決定する。"通常の"周辺機器としてさらされる１又はそれ以上のドッキングされたＷＤのこれらの機能／性能／サブシステムによって、他のＷＤは、他のＷＤ上で実行するアプリケーションの範囲内で、又は、ディスプレイ上のパネルとして示される標準のボリューム制御を用いてシステムに接続された各マイクロホン又はスピーカのボリュームを制御するような、標準オペレーティングシステム機能を用いることにより、全てのこれらの周辺機能を容易に制御／一体化し得る。
【００３８】
図１は、ワイヤレスドッキングシステムを示している。本システムは、複数のドッキング対象１２０，１３０，１４０（例えば、モバイルフォン、ラップトップ又はタブレットコンピュータ）とのワイヤレス通信のためのホスト１００を含む。第１のドッキング対象１２０だけが以下に詳細に述べられるが、他のドッキング対象は同様の構成要素及び機能を有する。ホストは、オーディオ又はビデオ（ＡＶ）データをレンダリングするための複数の周辺機器１１０，１１１，１１２に結合される。この文書において、ＡＶデータは、ビデオデータ、オーディオデータ又はビデオとオーディオデータとの組み合わせの任意のタイプに対して用いられることに留意されたい。周辺機器は、ビーマー又はディスプレイスクリーン１１１のようなビデオ出力デバイス、スマートボード１１０又はタッチスクリーンのようなグラフィック入力／出力デバイス、ラウドスピーカシステム１１２又はヘッドホンのようなオーディオ出力デバイス、マウス又は部屋制御ユニットのようなユーザ制御デバイス、データ記憶装置又はプリンタのようなデータ処理デバイスを含んでもよい。
【００３９】
ホスト１００は、前記ワイヤレス通信を提供するためのホスト通信ユニット１０２、例えばそれ自体良く知られたＷｉＦｉユニットを有する。ホストは、周辺機器へのアクセスを提供してドッキング対象に対して周辺機器の使用を可能にするためにワイヤレスドッキング環境にドッキング対象をドッキングするように構成されたホストプロセッサ１０１を更に有する。ワイヤレスデバイスをワイヤレスドッキング環境にドッキングする処理は、ＷｉＦｉ又はＢｌｕｅｔｏｏｔｈのような利用可能な無線チャンネルを介してデータリンクを確立する処理であり、国際公開第２０１２／１１７３０６号を参照して前述されたようにそれ自体知られている。Ｂｌｕｅｔｏｏｔｈの説明は、例えば２００７年７月２６日に発行されたBluetooth Specification, Core Package version 2.1 + EDRにおいて見られ得る。ホストは、少なくとも１つのワイヤレスドッキング環境に適応し、種々の周辺機器をそれぞれのワイヤレスドッキング環境における使用のために利用可能にするように構成される。ドッキング処理は、ドッキング対象が選択されたワイヤレスドッキング環境において利用可能な１又はそれ以上の周辺機器にアクセスするのを提供することを含む。
【００４０】
ドッキング対象１２０は、ホストとの前記ワイヤレス通信を提供するためのドッキング対象通信ユニット１２１を有する。実際には、その目的のための複数の通信ユニット（例えば、Ｂｌｕｅｔｏｏｔｈ，Ｗｉ―Ｆｉ及び６０ＧＨｚ）があってもよい。ドッキング対象は、少なくとも１つの周辺機器へのアクセスを得るためにワイヤレスドッキング環境へのホストと、ドッキング対象としてドッキングするように構成されたドッキング対象プロセッサ１２２を更に有する。例えば、ドッキング対象に対して、レンダリングされるべきＡＶデータのための周辺機器を介して制御が提供される。例えばディスプレイ上にビデオをレンダリングする。
【００４１】
ドッキング対象１２０は、ドッキング対象周辺機器１２３を備えている。例えば、ドッキング対象周辺機器は、マイクロホン、ラウドスピーカ、カメラ、ディスプレイ、タッチスクリーン、マウス、キーボード、通信ユニット、光センサ、温度センサ、配向センサ、位置センサのうち少なくとも１つであってもよい。また、ドッキング対象周辺機器は、ディスプレイの部分（例えばウインドウ）であってもよい。
【００４２】
ワイヤレスドッキングシステムにおいて、ホストプロセッサは、結合要求をドッキング対象に送信し、ドッキング対象周辺機器をワイヤレスドッキング環境における更なる周辺機器としてアクセス可能にするように構成される。ドッキング対象プロセッサは、ホストから結合要求を受信すると、ドッキング対象周辺機器をホストに結合するように構成される。更なる詳細が後述される。
【００４３】
オプションとして、ドッキング対象プロセッサは、更なる周辺機器として結合するために利用可能なドッキング対象周辺ユニットを示す周辺機器性能信号をホストに送信するように構成される。周辺性能信号は、ドッキングプロセスの間に又はその前であっても送信されてもよい。周辺性能信号は、ホストから受信した結合要求に応答して、又は、照会メッセージ、又は、要求されないことに応答して、送信されてもよい。ホストにおいて、ホストプロセッサは、ドッキング対象から周辺性能信号を受信し、周辺性能信号を受信すると、ドッキング対象周辺機器をワイヤレスドッキング環境における更なる周辺機器としてアクセス可能にするように構成される。更なる詳細が後述される。
【００４４】
オプションとして、システムは、更なるドッキング対象１３０，１４０を含む。更なるドッキング対象は、ワイヤレスドッキング環境にドッキングすると、周辺ドッキング対象を用いるように構成される更なるドッキング対象プロセッサを有する。例えば、更なるドッキング対象は、ドッキング対象周辺機器の機能（例えばドッキング対象カメラ）である特定の周辺機能を必要とするアプリケーションを有してもよい。ホストにおいて、ホストプロセッサは、ワイヤレスドッキング環境に更なるドッキング対象をドッキングするように構成される。更なるドッキング対象をドッキングすると、ホストプロセッサは、ドッキング対象周辺機器がワイヤレスドッキング環境において用いられるべきことを示す使用要求をドッキング対象に送信し、ドッキング対象周辺ユニットと更なるドッキング対象との間の信号の伝達に適応する。ドッキング対象プロセッサは、ホストから使用要求を受信すると、ドッキング対象周辺機器の使用モードに関与し、ドッキング対象周辺ユニットとワイヤレスドッキング環境との間で信号を伝達するように構成される。更なる詳細が後述される。
【００４５】
ドッキングシステムにおいて、ドッキング対象は、ドッキングを開始するためにＷＤＨからの信号を自動的に検索してもよい。斯様な信号のための前記検索は、ユーザによりトリガされた後に開始されてもよく、その後、信号を受信すると、ＷＤＨにドッキングするために１又はそれ以上のアクションを開始する。第１のオプションは、常にイネーブルにされて常に動作するという利点を有し、第２のオプションは、より少ないバッテリ出力しか必要としないという利点を有する。
【００４６】
ドッキングシステムにおいて、種々のドッキング対象は、それぞれの異なるワイヤレスドッキング環境においてアクセスされ得る周辺機能の異なるセットを受信してもよい。また、ホスト（例えばＰＣ）は、ドッキング対象共有周辺機器も排他的な周辺機器も利用可能にしてもよく、これにより、排他的周辺機器（即ち、単一のソースからの／へのデータのみを受け入れ得るか又は供給し得る周辺機器）が、以下に従うように扱われ得る。
１）ディスプレイ上にウインドウは、ディスプレイ全体の代わりに利用可能にされ得る。効果的に、排他的ディスプレイは共有周辺機器になる。ドッキング対象に焦点が合っているときには、マウス／キーボード制御がそのドッキング対象に割り当てられる。
２）ホットキーは、完全なスクリーンにおける表示を用いるために、ドッキング対象の間のスイッチに対して、又は、ホストＰＣ自体に対して提供される。
３）方法は、ＷＤＨがドッキング対象から周辺機器を強制的に解放し、これらを他のドッキング対象に与えるのを可能にする。
【００４７】
図２は、ワイヤレスドッキングホスト及びドッキング対象を有するドッキングシステムの一例を示している。図は、周辺機器２１１（例えば、ディスプレイ、オーディオスピーカ及び他の周辺機器）のセットに接続されるワイヤレスドッキングホスト（ＷＤＨ；Wireless Docking Host）２１０を示す。また、周辺機器は、周辺機器への高速アクセスのためのイーサネット接続又はインターネットアクセス、複数の周辺機器接続をサポートし得るＵＳＢインタフェース、又は、ＨＤＭＩのような、周辺機器インタフェースを介して結合されてもよい。種々のドッキング対象２５１，２５２，２５３は、ホスト２１０により提供されるワイヤレスドッキング環境にドッキングされるものとして示される。ドッキング対象２５２，２５３は、それぞれのドッキング対象内部のドッキング対象周辺機器へのアクセスを提供する。ドッキング対象周辺機器は、ホストに結合され、ホストにより適応されるワイヤレスドッキング環境において利用可能になる。（それぞれのワイヤレスドッキング環境にドッキングされる）更なるドッキング対象２５１は、双方向矢印２６０により示されるように、（実際には異なる周辺機器において配置される）ドッキング対象周辺機器にアクセスしてもよい。
【００４８】
図は、本発明の一例を示している（例えば、周辺機器のセット（例えば、ディスプレイ、オーディオスピーカ及び多数の他の周辺機器）に接続されるミーティング部屋におけるＷＤＨ）。ＷＤのセットは、Ｗｉ−Ｆｉ  Ｄｉｒｅｃｔを用いてＷＤＨに同時に接続され、これによって、ＷＤＨは、Ｗｉ−Ｆｉ  Ｄｉｒｅｃｔ  Ｇｒｏｕｐ  Ｏｗｎｅｒ（ＧＯ）である。一方向矢印により結合されるように示されたＷＤは、ＷＤＨとドッキングされ、これらの各々は、ＷＤＨにより管理される周辺機器としてこれらの性能（例えば、マイクロホン、スピーカ、センサ）の幾つかを提供し、従って、これらは、他のＷＤがドッキングし得る周辺機器のセットに追加され得る。
【００４９】
更なるドッキング対象２５１がドッキングされると、ＷＤＨに最初に接続された周辺機器だけ用いることができないが、ドッキングするドッキング対象周辺機器として提供される他のＷＤの性能を用いる。更なるドッキング対象は、これらの周辺機器のうち１又はそれ以上の使用を統合するアプリケーション（例えば、他のＷＤ上でオーディオ入出力機能を有効にするか又は無効にするかの制御を有するアプリケーション）を実行することができる。
【００５０】
実際には、ワイヤレスドッキング環境は、最初は、幾つかの従来の周辺機器に結合されたホストのみを有し得る（例えば、有線の周辺機器（例えば、ＵＳＢ、ＨＤＭＩ）、及び／又は、それ自体知られているＢｌｕｅｔｏｏｔｈ／ＷｉＦｉペアリング及び設定プロトコルを用いた（例えばＢｌｕｅｔｏｏｔｈ、ＷｉＦｉ、Ｍｉｒａｃａｓｔを介した）ワイヤレス周辺機器）。ワイヤレスドッキングは、ワイヤレスドッキングプロトコルを実行するためにＷＤＨに無線接続するポータブルデバイス（即ち、ワイヤレスドッキング対象又はＷＤ）を伴う。無線ドッキングプロトコルは、ワイヤレスメッセージ発信のセット及びＷＤとＷＤＨとの間のストリーミング／制御プロトコルからなり、これは、ＷＤが、ＷＤＨ（事前関連付け及び／又は事後関連付け）によりドッキングするために提供されている周辺機器に関する情報を発見し、周辺機器のセットを選択し、（例えば、Ｍｉｒａｃａｓｔのようなプロトコルを用いて、又は、Ｗｉ−Ｆｉを介したＵＳＢトンネリングにより）これらの選択された周辺機器へのストリーミング／制御接続をセットアップするのを可能にする。
【００５１】
周辺機器は、（例えば、ＵＳＢ、ＨＤＭＩ、ＤＶＩ／ＶＧＡ、オーディオジャッキを用いて）ＷＤＨに有線で取り付けられる別々のデバイスであってもよい。また、周辺機器は、（例えば、Bluetooth、Ｗｉ−Ｆｉを用いて）ＷＤＨに無線接続されてもよい。また、周辺機器は、（例えば、ＰＣＩｅ又は他の内部バスを用いて接続された）ＷＤＨの内部サブシステムであってもよい。我々は、ＷＤがＷＤＨとドッキングされていないときの周辺機器の初期セットを初期ワイヤレスドッキング環境という。ドッキングのためにＷＤＨに接続するＷＤは、ドッキングする初期ワイヤレスドッキング環境の周辺機器のサブセット又は完全なセットを選択することができる。これは、各周辺機器を個別に選択することにより、又は、サブセット若しくは完全なセットを一度選択することにより行われ得る。
【００５２】
その後、ワイヤレスドッキング環境は、１又はそれ以上のポータブルドッキング対象に渡って割り当てられる１又はそれ以上のドッキング対象周辺機器に結合することにより拡張されてもよい。ドッキング対象周辺機器の結合は、提案されたワイヤレスドッキング及び後に説明される設定プロトコルを用いてもよい。ここで拡張されたワイヤレスドッキング環境は、それ自体知られているワイヤレスドッキングプロトコルを用いてドッキングするために更なるドッキング対象により選択されてもよい。更なるドッキング対象は、利用可能な周辺機器のセットを知覚するだろう。セットは、従来の周辺機器及び結合されたドッキング対象周辺機器の双方を含む。
【００５３】
ドッキング対象周辺機器のワイヤレスドッキング環境への追加により提案された拡張を可能にするために、ＷＤＨは、ＷＤＨが（ｋ−１を伴う）ｋ＋１無線接続を有するのを可能にするために１又はそれ以上のＷｉ−Ｆｉ無線を備えてもよい。ＷＤＨは、更に、初期ワイヤレスドッキング環境が拡張され得る設定モードに入るのを可能にされてもよい。第１のワイヤレスドッキング対象ＷＤ１がＷＤＨに接続されるとき、ＷＤＨは、例えば以下の方法のうち１つを介して、この設定モードに入ってもよい。
１）（ドッキング目的のために）接続されているワイヤレスドッキング対象の自動検出により
２）（例えばローカルユーザインタフェース、又は、ＷＤＨにより提供される遠隔ユーザインタフェース（例えば、ＨＴＭＬページ）を介して、ＷＤＨのユーザにより開始される
３）（例えば、ワイヤレスドッキングプロトコルにおける特定の設定メッセージをＷＤＨに送信することにより）ワイヤレスドッキング対象ＷＤ１又は他のワイヤレスドッキング対象により開始される
この目的を達成するために、ＷＤＨは、例えば、ＷＤＨにより提供される特定のドッキング設定サービスに対するＲＥＱＵＥＳＴ＿ＳＥＳＳＩＯＮメッセージのための特定のＴＣＰ／ＩＰポートを聴取してもよく、又は、ＷＤＨは、例えば、ＵＰｎＰドッキングサービスにより提供される特定のＵＰｎＰアクション（例えば、ＥｎｔｅｒＣｏｎｆｉｇｕｒａｔｉｏｎＭｏｄｅ（））をサポートしてもよい。
【００５４】
ＷＤＨが上述の設定モードにあるとき、ＷＤＨは、その性能に関する情報を提供するようワイヤレスドッキング対象ＷＤ１に要求する。とりわけ、任意の機能／性能／サブシステムがある場合、これは、他のドッキング対象のためのドッキング対象周辺機器として利用可能になるか又は利用可能になり得る。これは、例えば要求された情報を示す幾つかの追加のフィールドを有する８０２．１１プローブ要求フレーム又は８０２．１１ｕＧＡＳフレームをＷＤに送信することにより、又は、特定のメッセージ（例えば、ＲｅｑｕｅｓｔＤｏｃｋｉｎｇＰｅｒｉｐｈｅｒａｌＣａｐａｂｉｌｉｔｉｅｓ）を特定のＴＣＰ／ＩＰポート上のＷＤにより提供されるドッキング設定サービスに送信することにより、行われ得る。
【００５５】
これらのメッセージ（又はフォローアップメッセージ）のうち１つを受信すると、ワイヤレスドッキング対象ＷＤ１は、他のワイヤレスドッキング対象がドッキングするドッキング対象周辺機器として機能／性能／サブシステムのうち１又はそれ以上を提供してもよいかどうかをそのユーザに要求してもよい。ユーザは、ドッキング対象周辺機器として利用可能となる１又はそれ以上の機能／性能／サブシステムを選択的に又は自動的に選んでもよい。代わりに、ＷＤは、他のワイヤレスドッキング対象がドッキングするドッキング対象周辺機器としてその機能／性能／サブシステム（の幾つか）を提供することに自動的に同意するように（事前に）構成されてもよい。この結果として、ワイヤレスドッキング対象ＷＤ１は、機能／性能／サブシステムがドッキング対象周辺機器として利用可能となるかどうかを決定する。例えば、
−  マイクロホン入力は、入力端子タイプＭｉｃｒｏｐｈｏｎｅ（０ｘ０２０１）を伴うＵＳＢ  Ａｕｄｉｏデバイスクラスとして利用可能になってもよい。
−  スピーカ出力は、出力端子タイプＳｐｅａｋｅｒ（０ｘ０３０１）を伴うＵＳＢ  Ａｕｄｉｏデバイスクラスとして利用可能になってもよい。
−  カメラ入力は、入力端子タイプＣａｍｅｒａ（０ｘ０２０１）を伴うＵＳＢ  Ｖｉｄｅｏデバイスクラスとして利用可能になってもよい。
−  ディスプレイ出力は、ビデオタイプＤＩＳＰＬＡＹを伴うＵＳＢ  ＡＶデバイスクラスとして、又は、Ｍｉｒａｃａｓｔシンクとして利用可能になってもよい。
−  キーボード／マウス／タッチ入力は、ＵＳＢ  ＨＩＤデバイスクラスとして利用可能になってもよい。
−  光／温度センサは、適切なセンサタイプを伴うＵＳＢ  ＨＩＤデバイスクラスとして利用可能になってもよい。
−  配向センサは、適切なセンサタイプを伴うＵＳＢ  ＨＩＤデバイスクラスとして利用可能になってもよい。
−  ＧＰＳセンサは、適切なセンサタイプを伴うＵＳＢ  ＨＩＤデバイスクラスとして利用可能になってもよい。種々のＵＳＢ  ＨＩＤデバイスは、http://www.usb.org/developers/hidpage/HUTRR39b.pdfにおいて述べられる。
【００５６】
アプリケーション層プロトコル（例えばＤＬＮＡ）を使用して機能又はコンテンツを利用可能にする代わりにこれらの機能／性能／サブシステムを（ＵＳＢ周辺機器のような）低レベル周辺機器として利用可能にする利点は、これらの周辺機器が、ドッキングされたときに、ワイヤレスドッキング対象のオペレーティングシステム管理されたデバイスリストにおける周辺機器として単純に現れ、列挙され、及び、ローカルに接続された周辺機器（例えば、ＵＳＢ周辺機器）であった場合のように用いられ得ることである。これは、これらの周辺機器の透過的なアプリケーションの使用を提供する。Ｗｉ−Ｆｉを介したＵＳＢトンネリングを介して利用可能になるＵＳＢ周辺機器の場合、ＷＤ上のアプリケーションは、標準のＵＳＢ列挙及びこれらのＵＳＢ周辺機器を制御するための任意の標準のＵＳＢドライバコマンドを用いることができる。
【００５７】
ワイヤレスドッキング対象ＷＤ１は、性能メッセージを用いてＷＤＨにドッキング対象周辺機器を通知してもよい。ＵＳＢ周辺機器に関して、これは、Ｗｉ−Ｆｉサービス及びプロトコル（例えば、ＵＳＢ／ＩＰ）を介したＵＳＢトンネリングを介してアクセスを提供する。これらの周辺機器（例えば、これらの性能、これらのＵＳＢ記述子、サービス識別子、用いられるＴＣＰ／ＵＤＰポート等）の通知は、８０２．１１プローブ応答又は８０２．１１ｕ  ＧＡＳサービス応答における幾つかの追加のフィールドを介するような、事前関連付けメッセージを介して行われてもよく、又は、例えば、ＵＰｎＰドッキング設定サービスの部分として提供されるＵＰｎＰメッセージ"ＡｄｄＮｅｗＰｅｒｉｐｈｅｒａｌｓ"におけるドッキング対象周辺機器に関する情報を送信することによるような、事後関連付けメッセージを介して行われてもよい。
【００５８】
ＷＤＨは、ＷＤ１により提供される接続データを格納するだろう。接続データは、ＷＤ１に接続するために必要な情報及びドッキング対象周辺機器に関する情報を有してもよい。ＷＤＨは、これらをワイヤレスドッキング環境に対する周辺機器として追加し、例えばそのドッキングサービス特有の事前関連付け又は事後関連付けメッセージ又はペイロードを用いて、他のＷＤとのドッキングを可能にするためにこれらの追加の周辺機器を通知するのを開始するだろう。
【００５９】
一実施形態において、ホストプロセッサは、前記結合要求を介してドッキング対象周辺機器に対するセッションをセットアップするように構成され、ドッキング対象プロセッサは、前記セッションを介してドッキング対象周辺機器の制御を提供するように構成される。従って、ホストは、ドッキング対象周辺機器に関する情報を取得し、ドッキング対象周辺機器に対するセッションをセットアップすることにより使用のための周辺機器を求める。ＷＤＨは、周辺機器のアクティブな制御を得てもよく、更なるドッキング対象がドッキングすると後のより速いアクセスのために（ＷＤ１自体を含む）他者により用いられ得るのを防止する。
【００６０】
例えば、ＷＤ１のドッキング対象周辺機器に関する情報を取得するとともに、ホストによるドッキング対象周辺機器の制御を取得するために、ＷＤＨは、これらの周辺機器の制御を要求し、及び／又は、これらを設定し、及び／又は、これらの周辺機器に関する追加の詳細な情報を収集することを要求してもよい。これは、Ｗｉ−Ｆｉを介したＵＳＢトンネリングのような周辺機器特有のプロトコルを用いて周辺機器に対するセッションをセットアップすることにより行われ得る。周辺機器に対するセッションをセットアップすることにより、ＷＤＨは、周辺機器の一時的な制御を得ることができ、これらのリソースの制御を他のワイヤレスドッキング対象に与えるために、ＷＤ１上のこれらの機能／性能／サブシステムのリソースが適切に請求されていることを確かめる。ＷＤＨ又は他のドッキング対象の制御下にある間、リソースは、時間スケジューリング又は周辺機器の仮想化の他の形式のような幾つかの特別な条件が利用されない限り、典型的には、もはやＷＤ１のユーザにとって利用可能ではない。
【００６１】
代わりに、ＷＤ１のドッキング対象周辺機器に関する必要な情報を格納した後、ＷＤＨは、ＷＤ１に対するドッキング対象周辺機器の制御を放棄してもよい。ＷＤ１のユーザは、第２のＷＤがＷＤＨにドッキングして、ＷＤ１により提供されるドッキング対象周辺機器のうち１又はそれ以上を選択するまで、ドッキング対象周辺機器により提供される機能／性能／サブシステムを用い続けてもよい。選択があると又はドッキング対象周辺機器に対するセッションをセットアップすると、ＷＤ１のユーザは、通知されてもよく、該ユーザが選択されたドッキング対象周辺機器により提供された機能／性能／サブシステムの制御を第２のＷＤに与えたいかどうかを確認するよう尋ねられてもよい。
【００６２】
オプションとして、ＷＤ１のユーザは、例えば"ＧａｉｎＢａｃｋＣｏｎｔｒｏｌ"ＵＰｎＰメッセージをＷＤＨに送信することにより、自己のドッキング対象周辺機器の制御に戻すよう要求するのを可能にされてもよい。これが必要とされ得る典型的な使用事例は、ドッキング対象オーディオ周辺機器がＷＤＨ又は他のドッキング対象の制御下にあり、電話がかかってくるときである。通話が終わった後、ドッキング対象は、ＷＤＨ又は他のドッキング対象が発見をやり直すことなく制御を回復し得るように、例えば"ＲｅｓｕｍｅＣｏｎｔｒｏｌ"ＵＰｎＰメッセージをＷＤＨに送信してもよい。代わりに、ＷＤ１は、必要とされる間、自己の周辺機器を単純に取得してもよく、ＷＤＨにダミーを送信したか又は応答しない、及び、ＷＤＨからのデータを選択的に無視する（又は、ディスプレイ又はスピーカデータの場合においてＷＤＨからのデータをＷＤ１データと組み合わせる）。
【００６３】
ＷＤＨは、ＷＤ１にＷｉ−Ｆｉを介して（とりわけＷｉ−Ｆｉ  Ｄｉｒｅｃｔを介して）接続されるので、ＷＤ１により提供されるドッキング対象周辺機器を用いたい他のワイヤレスドッキング対象ＷＤ２は、Ｗｉ−Ｆｉ  Ｄｉｒｅｃｔの動作の一部を壊すことなく効率的な態様でこれを行い得ることが重要である。ＷＤＨ，ＷＤ１及びＷＤ２（例えば、異なるＷｉ−Ｆｉチャネル上の並列接続のためのサポート、５ＧＨｚ／６０ＧＨｚのサポート、複数の無線サポート等）の性能に依存して、これは、以下の手段のうちの１つにおいて行われ得る。
【００６４】
１）  ＷＤＨ支援型ダイレクトペアリング（又はＴＤＬＳ）を介した場合。以下のステップが実行される。ステップａ）は、更なるドッキング対象ＷＤ２とホストＷＤＨとの間の支援されたペアリングを取り込む。それに加えて、ＷＤＨは、接続データを更なるドッキング対象ＷＤ２に提供し、典型的には、ペアリングのために用いられるべき認証情報をＷＤ１及びＷＤ２の双方に指示する。ステップｂ）は、接続データ及び受信した認証情報に基づいて第１のドッキング対象ＷＤ１及び更なるドッキング対象ＷＤ２のペアリングを取り込む。最後のステップｃ）は、直接接続を用いてＷｉＦｉを介したＵＳＢトンネリングを取り込む。ＷＤＨは、ＷＤ２により用いられるＷＤ１のドッキング対象周辺機器の制御を一時的に放棄するだろう。ＷＤ２がドック解除された後、ＷＤＨは、典型的には、例えばＷＤＨにおいて以前に格納されているＰ２Ｐパーシステント（Persistent）グループ認証情報を用いてＷＤ１を再招待することにより、ＷＤ１のドッキング対象周辺機器の制御を取り戻すだろう。ペアリングの更なる詳細は、特許出願ＥＰ１２１８２２８５"Pairing within a group of wireless devices"において述べられている。ＵＳＢ周辺機器としてのワイヤレスドッキング環境において利用可能なドッキング対象周辺機器により、ワイヤレスドッキング環境は拡張される。
【００６５】
２）  ＷＤ１とＷＤ２との間のＷＤＨ中継トラフィックを介した場合。ＵＳＢトラフィックは、更なるドッキング対象ＷＤ２とホストＷＤＨとの間でＷｉＦｉを介してトンネリングされる。更に、ＷＤＨは、ＵＳＢトンネリングトラフィックを更なるＷｉＦｉ接続に伝達し、ＵＳＢトラフィックは、ワイヤレスドッキング環境を拡張するようにドッキング対象周辺機器を提供している第１のドッキング対象ＷＤ１にＷｉＦｉを介してトンネリングされる。ＷＤ１に対するトンネリングは、接続データに基づく接続を介したものである。詳細には、Ｗｉ−Ｆｉを介した斯様なＵＳＢトンネリングは、以下のように行われ得る。
【００６６】
ａ）  ＷＤＨがドッキングのためにＷＤ１により提供されたドッキング対象周辺機器を通知するとき、事前関連付けメッセージ及び／又は事後関連付けメッセージにおける中継を介して（例えばＷｉ−Ｆｉダイレクトサービスのための８０２．１１ｕのＡＮＱＰクエリ応答における応答データのサービス情報記述子フォーマットの範囲内のサービス情報フィールドを介して）この周辺機器に接続するために接続データを供給してもよい。ドッキング対象接続データは、以下のような情報を含む。
ｉ．周辺機器のＭＡＣアドレス。これは、他のＷＤが周辺機器に送信されることを意味するメッセージ／Ｗｉ−Ｆｉフレームのための終点アドレスとして用いなければならないものである。とりわけ、セキュリティ上の理由のため、ＷＤＨは、ＷＤ１とともに形成するＰ２Ｐグループよりも、ドッキングのために他のＷＤとともに別々のＰ２Ｐグループをおそらく形成するので、このＭＡＣアドレスは、異なる（そうでなければ他のドッキング対象に対して知られていない）サブネット／アドレス空間にあってもよい。
ｉｉ．サービスの名前／識別子。これは、ＷＤ１がＷｉ−Ｆｉを介してＵＳＢトンネリングを可能にするために提供するものである（例えばorg.usb.audiodeviceのようなＷｉ−Ｆｉダイレクトサービスフレームワークの範囲内で使用される名前）。
ｉｉｉ．サービスとの通信のために用いられることを必要とするポート番号。これは、ＷＤ１がＷｉ−Ｆｉを介してＵＳＢトンネリングを可能にするために提供するものである。
【００６７】
ｂ）  他のワイヤレスドッキング対象ＷＤ２がドッキングのためにＷＤＨに接続して、ＷＤ１により提供されるドッキング対象周辺機器を選択すると、ＷＤ１がＷｉ−Ｆｉを介したＵＳＢトンネリングを可能にするために提供するサービスに対するセッションをセットアップするためにステップａ）において受信したドッキング対象接続データを用いる。ＷＤ２とＷＤ１との間でセッションがセットアップされる必要があるが、セッション初期設定要求（例えばＷｉ−Ｆｉダイレクトサービス制御ポート上のＲＥＱＵＥＳＴ＿ＳＥＳＳＩＯＮメッセージ）は、ＷＤＨにおいて予定されるべきである。ＷＤＨは、制御目的のためにＷＤ１を伴うドッキング対象接続データに基づいて既にセッションを有している可能性が高く、及び、第２のセッションは、ＷＤ１により拒否され得るためである。ＷＤＨは、ＷＤ１を伴うそのセッションをクローズし、ＷＤ２に代わって新たなセッションを再確立しなければならないかもしれない。
【００６８】
ｃ）  ＷＤ２とＷＤ１との間のセッションが確立されると、ＷＤＨは、ステップａにおいて示されたＭＡＣアドレスで予定されるＷＤ２からの任意のメッセージをＷＤ１に伝達し、Ｗｉ−Ｆｉリターンメッセージを介した任意のＵＳＢトンネリング又はＷＤＨにおけるＷｉ−Ｆｉを介した任意の入力ＵＳＢトンネリングをＷＤ２に伝達するだろう。
【００６９】
ｄ）  ＷＤ２がＷｉ−Ｆｉサービスを介してＵＳＢトンネリングとのセッションを閉じたこと、又はドック解除されたこと、又は用いられるドッキング対象周辺機器を外したこと、又は範囲外に行ったこと（及び、時間内にキープアライブメッセージを送信しなかったこと）をＷＤＨが検出すると、ＷＤＨは、ＷＤ１のドッキング対象周辺機器の制御を取り戻すためにＷＤ１とのドッキング対象接続データに基づいてセッションを再確立してもよい。そうするために、ＷＤＨとＷＤ１との間のＰ２Ｐグループを再確立することを必要としてもよい。これは、前に格納されたドッキング対象接続データ（例えばパーシステントＰ２Ｐグループをセットアップするための認証情報）を用いることにより行われ得る。
【００７０】
図３は、組み合わせられた写真機能を実行するワイヤレスドッキングシステムの一例を示している。第１のモバイルデバイスは、ワイヤレスドッキングホストＷＤＨ  ３００の機能を実行する。ホストは、ワイヤレスドッキング環境における周辺機器として自己のカメラを提供する。３つのドッキング対象３１０，３２０，３３０は、ホストにより適応されるワイヤレスドッキング環境においてワイヤレスにドッキングされ、ドッキング対象は、それぞれ、ドッキング対象周辺機器としてカメラを提供する。ホスト（又はドッキング対象のうち１つ）は、オブジェクト３５０の組み合わせられた写真を得るために使用可能なアプリケーションプログラムを有する。アプリケーションプログラムは、周辺機器として、全ての利用可能なカメラ周辺機器を用いる。アプリケーションは、更に、全ての周辺カメラを活性化することにより同時撮影をトリガする。
【００７１】
実際には、家族又は旅行者のグループは、３６０度画像を取得したいモニュメントを訪問しているかもしれない。彼らのスマートフォンは、ＷＤＨにドッキングされ、これらのカメラをドッキング対象周辺機器として（更なるスマートフォンがドッキングし得る拡張されたワイヤレスドッキング環境の部分として）利用可能にする。更なるスマートフォンがＷＤＨとドッキングされると、スマートフォンのオペレーティングシステムは、全ての周辺機器をその（プラグ＆プレイ）デバイス管理機能の部分として列挙する。例えば、更なるドッキング対象は、組み合わせられたパノラマ画像を撮るためのフォトアプリケーションを有する。画像取得アプリケーションは、オペレーティングシステムにこれらの周辺機器へのアクセスを提供するよう尋ねることができ、モニュメント周辺の適切な位置決めのために各デバイスに対して分離命令を送信する。これらのデバイス命令は、（例えば、Ｗｉ−Ｆｉ  Ｓｅｒｉａｌ  Ｂｕｓ又はＭｅｄｉａ  Ａｇｎｏｓｔｉｃ  ＵＳＢを用いて）ワイヤレス媒体を介して特定のデバイス命令を用いてデバイスに供給され得る。（例えば、撮影されるべきオブジェクトのまわりのユーザ配置のための）ユーザインストラクションは、グラフィックフォーマット及び／若しくはテキストにおいて所有者のスクリーン上に示され得るか、又は、それぞれのドッキング対象ディスプレイ（又はディスプレイの一部）をディスプレイ周辺機器として用いることにより、各ＷＤのディスプレイ上に示され得る。全てのデバイスが適切に配置されたとき、デバイスのうち１つは、位置調整されたカメラ設定と同時に写真を撮るために全てのデバイスをトリガする。それぞれ個々の画像は、全体的な（３６０度）画像のシームレスなステッチングを可能にするようローカルで処理される。結果を組み合わせることは、全てのデバイスから（事前に処理された）画像を取ってきた後に写真取得アプリにより行われる。
【００７２】
性能を組み合わせるために、以下のうち１又はそれ以上がドッキングシステムにより提供されてもよい。
−  第１のＷＤの機能／性能／サブシステムを介した更なるＷＤのための制御メカニズム。（例えばＵＳＢホストとして）第２のＷＤにより使用されると、ドッキングされた周辺機能は、基本的には、第２のＷＤからのスレーブになる。第１のＷＤは、同じ周辺機器を介した一部の共有／同時制御が第１のＷＤによりイネーブルにされない限り、基本的には、この機能／性能／サブシステムの制御を失う。
−  第２のＷＤが用いていない（しばらくの間、時間多重化された）場合に、又は、（例えばドッキング解除アクションを開始することにより）周辺機能の制御を放棄した場合に、第１のＷＤが再び周辺機能を用いるのを可能にする協働プロトコル。
−  複数のデバイスからのデータを組み合わせるための、及び、これらに対する命令の分配のための、制御メカニズム。このメカニズムは、ＷＤＨにより提供されてもよく、又は、ドッキングデバイスの間で分配されてもよい。１つの特定の例は、（例えば、ＵＳＢ／ＩＰ又はＷｉ−Ｆｉ  Ｓｅｒｉａｌ  Ｂｕｓ又はＭｅｄｉａ  Ａｇｎｏｓｔｉｃ  ＵＳＢを用いて）Ｗｉ−Ｆｉを介したＵＳＢトンネリングと協働してＵＳＢサブシステムを用いることである。
−  例えば、組み合わせられた画像を撮るときにカメラシャッターを調整するか、又は、マルチチャネルサウンドのためのオーディオデータを同期化させるために、例えばデバイス間のデータ転送を調整するための同期メカニズム。このメカニズムは、ＷＤＨ又は第２のＷＤにより提供されてもよい。ＵＳＢサブシステムが用いられる場合には、第２のＷＤ上のＵＳＢホストは、その命令を周辺デバイスの各々に同期させ得る。
−  どこに立っているべきか、どのようにデバイスを保持するべきか、及び、どの他のアクションを利用するべきかについて、個々のユーザに指示するためのインストラクタアプリケーション。
−  ＷＤの機能／性能の仮想化。
−  拡張されたワイヤレスドッキング環境の部分（例えばオートマチック）になるためにＷＤの機能を活性化するのに対し、ＷＤのユーザが、或る機能が利用可能になるのを拒絶するのを可能にすることによる制御。
−  拡張されたワイヤレスドッキング環境における周辺機器をプラグ＆プレイデバイス管理機能の部分としてリストアップすることが可能なオペレーティングシステム。ドライバの（自動）導入がこれらの周辺機器を用いるのを可能にし、従って、ＷＤは、デバイス自身に存在していた場合のように、他のＷＤにより提供されたこれらの周辺機器を使用し始めることができる。
【００７３】
提案された拡張したワイヤレスドッキング環境は、同時にアクティブになっている複数の類似の周辺機器からの入力を集めるのを可能にし、異なる入力間のオーバーラップを組み合わせる／相関させる／挿入する／検出することにより組み合わせられた出力を生成するために入力を処理する。ＷＤがモバイルデバイスであり、それ故に（例えば部屋内又はＷＤＨのワイヤレス範囲内の）或るエリア内の異なるスポットに配置されることに基づいて、単純な低コストの態様において幾つかの強力なアプリケーションを可能にする。以下は、可能にされる例となるアプリケーションのリストである。
−  マイクロホンアレイを形成するために拡張したワイヤレスドッキング環境内の異なるマイクロホンからの（即ち、複数のすぐ近くのデバイスから入力される）入力を組み合わせる。この結果は、非常に高品質な結果となる信号である。例えば、ミーティングが複数の参加者により（大きな）物理的ミーティングルームにおいて生じており、全ての参加者が彼らのモバイルフォンをミーティングルームのＷＤＨとドッキングする場合、ミーティングの参加者のうちの１人（例えば議長）は、参加者の各々からのモバイルフォンからの全てのマイクロホンからの入力を集めることができ、（例えば電話でミーティングに参加している）遠隔参加者のために高品質出力信号を生成し得る。拡張ワイヤレスドッキング環境における異なるＷＤからのマイクロホンにより形成されたマイクロホンアレイとは異なる入力信号を挿入することにより、参加者からの音声がマイクロホンの近くにあるように見せることができる。この態様において異なるマイクロホン信号を組み合わせる他の利点は、サラウンドサウンドとして、及び、極めて容易な低コストの態様における非常に高い品質を伴う、ミュージック、スピーチ等を記録することであり得る。
−  仮想サラウンドサウンド体験を生成するために拡張ワイヤレスドッキング環境内の異なるスピーカからの出力を組み合わせる。
−  パノラマ又は３Ｄ画像／ビデオを生成するために拡張ワイヤレスドッキング環境内の異なるカメラからの入力を組み合わせる。
−  より大きなディスプレイ（例えばマップ又はボードゲーム）を形成するために、又は、全てのＷＤ上に同じディスプレイ出力の複数のコピー（例えばクイズ又は試験問題）を示すために、又は、（例えば、協力的タスクを行うか又は３Ｄの世界上に異なる視野を示すために）ユーザインタフェースからの異なる視野又は要素を表すために、拡張ワイヤレスドッキング環境内の異なるディスプレイからの出力を組み合わせる。
−  マルチプレイヤゲームのような協力的な目的のために拡張ワイヤレスドッキング環境内の異なるキーボード／マウス／タッチ入力デバイスからの入力を組み合わせる。例えば、ＷＤのうちの１つからの配向センサは、ＷＤＨのドッキングスクリーン上のポインタを制御するために用いられ得る。この場合、ＷＤは、ＷＤＨのための仮想（レーザポインタ）周辺機器とみなされ得る。それ故、部屋内の誰でも、スクリーンの前で移動する必要なく或る提示アイテムを移動又はポイントすることができる。他の類似の例は、二次ＷＤの（仮想）鍵が一次ＷＤの提示を制御するために一時的に用いられるということであるだろう。
−  （ＷＤＨのスクリーン輝度／コントラスト／色を含む）光又は気候調整目的のために周囲の温度又は光マップを生成するために拡張ワイヤレスドッキング環境内の異なる光又は温度センサからの入力を組み合わせる。
【００７４】
必要とされる場合、複数のドッキング対象の制御及び／又は周辺データのための同期化メカニズムは、ＮＴＰ（Network Time Protocol）又はＷｉ−Ｆｉ  ＴＳＦ（Timing Synchronisation Function）等を用いて実装され得る。これらのプロトコルは、Ｐ２Ｐグループ内のデバイスのクロック同期を可能にする。ＮＴＰの最新版（ＮＴＰｖ４、ＲＦＣ５９０５）は、ソフトウェア実装を用いて干渉のないＬＡＮにおけるマイクロ秒の精度を実現し得る。ＮＴＰは、https://tools.ietf.org/html/rfc5905を介して利用可能な、Request for Comments 5905, ISSN: 2070-1721においてＩＥＴＦ（Internet Engineering Task Force）により規定される。
【００７５】
デバイスは、ＵＤＰ、ＴＣＰ又はＲＴＰプロトコルを用いてタイムスタンプを送受信してもよく、これらのタイムスタンプは、必要に応じて複数のデバイスからの／へのデータを同期させるために用いられ得る。データの適切な同期は、オーディオ周辺機器（マイクロホン、スピーカ）及びビデオ周辺機器（カメラ、ディスプレイ）にとって重要であるが、これらに限定されなくてもよい。図３の例において、カメラは、ＰＴＰ［Picture Transfer Protocol, PIMA 15740］ＩｎｉｔｉａｔｅＣａｐｔｕｒｅを用いて、又は、デバイスがイメージデバイスクラスを依然としてサポートしている場合にはＵＳＢを介したベンダ固有のキャプチャコマンドを用いて、個別にトリガされてもよい。前記ＰＴＰは、http://people.ece.cornell.edu/land/courses/ece4760/FinalProjects/f2012/jmv87/site/files/pima15740-2000.pdfを介して利用可能な"Photography - Electronic still picture imaging - Picture Transfer Protocol (PTP) for Digital Still Photography Devices, PIMA 15740:2000, Approved 2000-07-05, FIRST EDITION"において更に述べられる一方で、ＵＳＢは、http://www.usb.org/developers/devclass_docs/usb_still_img10.pdfを介して利用可能な"Universal Serial Bus Still Image Capture Device Definition, Revision 1.0, July 11, 2000"において更に述べられる。
【００７６】
各カメラのためのコマンドを、相互遅延を最小化するためにできるだけ同時に送信し、自己のカメラをトリガしたときに転送遅延を補償するかどうかはＷＤＨ次第である。各カメラのためのトリガ遅延が知られているか又は決定され得る場合、ＷＤＨは、個々のキャプチャコマンドを送信したときにこれを考慮してもよい。
【００７７】
オーディオチャネルに関して、同期は、例えば、http://www.usb.org/developers/devclass_docs/audio10.pdfを介して利用可能な"Universal Serial Bus Device Class Definition for Audio Devices, Release 1.0, March 18, 1998"において更に述べられる、USB device Class Definition for Audio Devices (V1.0, section 3.4)において述べられた"Inter Channel Synchronization"方法を用いることにより達成され得る。
【００７８】
新たな又は他の周辺機器は、類似の手段で組み合わせられてもよく、他の例及びアプリケーションが可能であることに留意されたい。また、列挙された２又はそれ以上の要素が組み合わせられてもよい。例えば、ユーザは、大きなディスプレイを形成するか又はパノラマ画像を同時に取得するための位置及び配向センサに基づいて彼らのデバイスの物理的配置のために指示されてもよい。
【００７９】
オプションとして、拡張ワイヤレスドッキング環境は、例えばユーザ又は制御アプリケーションからのトリガに基づいて、特定の（短い）時間間隔で活性化されるべき拡張ワイヤレスドッキング環境における複数の周辺機器をトリガするように構成されてもよい。アプリケーションは、以下のものを含み得る。
−  秘密を解除するためにボタン又は特定のキーを同時に押すことを複数のユーザに要求するセキュリティアプリケーション。
−  写真撮影：シーンのインスタントパノラマショットを生成し得るか、又は、暗い環境において同期された光フラッシュをつけ得る。
【００８０】
オプションとして、拡張ワイヤレスドッキング環境において利用可能な周辺機器は、アプリケーションが異なるＷＤ間の及びＷＤとＷＤＨとの間の相対位置／距離を決定し、制御機能内部でこの情報を用いるのを可能にする。例えば、
−  拡張ワイヤレスドッキング環境内の１又はそれ以上のスピーカを用いてサウンドを生成し、同時に、生成されたサウンドを取り込むために拡張ワイヤレスドッキング環境内の１又はそれ以上のマイクロホンを用いる。取り込まれたサウンドのボリューム、質及びコンテンツを測定し、これを生成されたサウンドに関する情報と相関させることにより、異なるＷＤ間の相対的位置が決定され得る。
−  拡張ワイヤレスドッキング環境内の異なるＧＰＳ／位置及び配向センサを用いることにより相対位置情報を決定する。この相対位置情報は、エンターテイメント目的、戦略的目的又は協力的目的のために図又はパターンを形成するために物理的配置をユーザに教えるために後に用いられ得る。
−  （場合により、幾つかのビーコン又はプローブ要求／応答フレームを送信するようワイヤレスコネクティビティ／通信機能に指示することにより拡張される）拡張ワイヤレスドッキング環境内の異なるワイヤレスコネクティビティ／通信機能から受信されたワイヤレス信号強度及び品質レベルを挿入することにより、相対位置情報を決定する。
【００８１】
この情報から大いに利益を享受し得る１つの特定の制御アプリケーションは、特定のＷＤがどれくらいＷＤＨから離れるように移動しているかに基づいてその特定のＷＤをドッキング解除するという制御アプリケーションであるだろう。これは、セキュリティ理由のために有益である。ＷＤが離れているが依然としてドッキングされているとき、他のユーザが、その特定のＷＤとインタラクトするため、及び、場合によりそのデバイスを誤用するために、他のＷＤ又はＷＤＨのうちの１つを用いることができるかもしれないためである。
【００８２】
上記の説明において別々の実体であるＷＤＨ及びＷＤについて述べているにもかかわらず、ＷＤＨとＷＤのうちの１つとの機能が、単一の物理的デバイスにおいて組み合わせられてもよい。
【００８３】
上の説明は、Ｗｉ−Ｆｉアライアンスからの文献"Wi-Fi Wi-Fi Peer-to-Peer (P2P) Technical Specification, Version 1.2, 2010"から知られる、（Ｗｉ−Ｆｉ  Ｐｅｅｒ  ｔｏ  Ｐｅｅｒとして知られる）Ｗｉ−Ｆｉ  Ｄｉｒｅｃｔを用いた実装オプションについて述べている。Ｗｉ−Ｆｉ  Ｄｉｒｅｃｔは、Ｗｉ−Ｆｉデバイスがワイヤレスアクセスポイントを必要とすることなく互いに接続するのを可能にする規格である。
【００８４】
図４は、ホスト及び少なくとも１つのドッキング対象を有するワイヤレスドッキングシステムにおいて用いられる、ホストにおけるワイヤレスドッキングの方法を示している。ホスト及びドッキング対象は、ワイヤレス通信を介してワイヤレスにドッキングするように構成され、ホストは、少なくとも１つのワイヤレスドッキング環境に適応し、周辺機器をワイヤレスドッキング環境においてアクセス可能にするために少なくとも１つの周辺機器に結合するように構成される。ドッキング対象は、少なくとも１つのドッキング対象周辺機器を有する。この方法は、ステップＳＴＡＲＴ  ４０１で開始し、続いて、ステップＤＯＣＫ＿１  ４０２において、少なくとも１つのドッキング対象は、ドッキング対象のためのワイヤレスドッキング環境における周辺機器へのアクセスを提供するためにワイヤレスドッキング環境にドッキングされる。次に、ステップＣＰＬ＿ＲＥＱ  ４０３において、結合要求がドッキング対象に送信される。ドッキング対象周辺機器が存在しているとともに利用可能にされているとドッキング対象が決定した場合、ドッキング対象は、ステップＣＰＬ＿ＣＦ  ４０４において結合確認メッセージを送信する。確認メッセージを受信した後、本方法は、ステップＣ＿ＲＤＹ  ４０５において、ワイヤレスドッキング環境の設定が準備できているかどうかを決める。そうでない場合には、更なる結合要求がステップＣＰＬ＿ＲＥＱ  ４０２に戻ることにより送信され得る。設定モードが完了したとき、本方法は、ステップＤＯＣＫ＿２  ４０６に進み、本方法は、ドッキング対象周辺機器をワイヤレスドッキング環境における更なる周辺機器としてアクセス可能にする。ここで、更なるドッキング対象は、ワイヤレスドッキング環境にドッキングし、ドッキング対象周辺機器へのアクセスを得ることができる。本方法は、ＥＮＤ  ４０７で終了する。
【００８５】
相補的方法（図示省略）がドッキング対象で実行される。ドッキング対象の方法は、周辺機器へのアクセスを得るためにワイヤレスドッキング環境にドッキングすること、及び、ホストから結合要求を受信すると、ドッキング対象周辺機器をワイヤレスドッキング環境における更なる周辺機器としてアクセス可能にするためにドッキング対象周辺機器をホストに結合することを有する。
【００８６】
明瞭さのための上記の説明は、異なる機能ユニット及びプロセッサを参照して本発明の実施形態を述べたが、プログラム可能なコンポーネントを用いてソフトウェア及び／又はハードウェアにおいて実装されてもよいことが理解されるだろう。異なる機能的ユニット又はプロセッサ間の機能の任意の適切な分配は、本発明から逸脱することなく用いられてもよい。例えば、別々のユニット、プロセッサ又はコントローラにより実行されるように示された機能は、同じプロセッサ又はコントローラにより実行されてもよい。それ故、特定の機能ユニットへの参照は、厳しい論理的又は物理的な構造又は組織を示すよりはむしろ、記述された機能を供給するための適切な手段への参照としてのみ理解されるべきである。本発明は、ハードウェア、ソフトウェア、ファームウェア又はこれらの任意の組み合わせを含む任意の適切な形式において実装され得る。
【００８７】
この文書において、"有する"という用語は、記載されたもの以外の他の要素又はステップの存在を除外するものではなく、要素の単数表記は、斯様な要素の複数の存在を除外するものではなく、任意の参照符号は請求項の範囲を限定するものではなく、本発明は、ハードウェア及びソフトウェアの双方によって実装されてもよく、幾つかの"手段"又は"ユニット"は、ハードウェア又はソフトウェアの同じアイテムにより表されてもよく、プロセッサは、場合によりハードウェア要素と協働して、１又はそれ以上のユニットの機能を果たしてもよいことに留意されたい。更に、本発明は、実施形態に限定されるものではなく、本発明は、前述した又は相互に異なる従属請求項において記載されたそれぞれの新規な特徴又は複数の特徴の組み合わせを含む。
【図１】
2017505948.tif 000003
【図２】
2017505948.tif 000004
【図３】
2017505948.tif 000005
【図４】
2017505948.tif 000006
【国際調査報告】
2017505948.tif 000007
2017505948.tif 000008
2017505948.tif 000009